(57)【要約】  本発明は、涙液層観察装置のような被検眼を撮像する眼科装置の点検を行うにあたり各器材の調整に過度な作業負担を伴うことなく、且つ撮像された画像が被撮像体の状態を適確に現すものか否かに係る撮影能力の良否判定を再現性良く行うことができる眼科装置の点検方法、点検用治具、及び眼科装置の提供を目的とする。  本発明に係る眼科装置の点検方法は、眼科装置の照明光学系を用いて照明された点検用被撮像体からの反射光を、前記眼科装置の撮像光学系を用いて受光し、前記点検用被撮像体を撮像し、撮像された前記点検用被撮像体の画像から色情報を抽出し、抽出された前記色情報とレファレンス用情報とを比較して、前記色情報が、所定の基準条件を満たすか否かを判定する。また、本発明に係る眼科装置の点検用治具は、前記点検方法に用いられる。更に、本発明に係る眼科装置は、前記点検用治具を備える。
2020166684.tif 000002
【特許請求の範囲】
【請求項１】
眼科装置の照明光学系を用いて照明された点検用被撮像体からの反射光を、前記眼科装置の撮像光学系を用いて受光し、前記点検用被撮像体を撮像するステップと、
撮像された前記点検用被撮像体の画像から色情報を抽出するステップと、
抽出された前記色情報とレファレンス用情報とを比較して、前記色情報が、所定の基準条件を満たすか否かを判定するステップと、
を備える眼科装置の点検方法。
【請求項２】
前記基準条件に、抽出された前記色情報のうちの少なくとも色相値が、前記レファレンス用情報で規定される色相値の範囲内であるか否かの条件が含まれる、請求項１に記載の眼科装置の点検方法。
【請求項３】
更に、撮像された前記点検用被撮像体の画像から明るさ情報を抽出し、抽出された明るさ情報とレファレンス用情報とを比較して、前記明るさ情報が、所定の基準条件を満たすか否かを判定する、請求項１又は２に記載の眼科装置の点検方法。
【請求項４】
検査時に被検眼が配される、前記眼科装置の対物鏡筒と対向する位置に前記点検用被撮像体を配置し、前記点検用被撮像体を撮像する、請求項１から３のいずれか一項に記載の眼科装置の点検方法。
【請求項５】
撮像された前記画像から検査領域を切り出し、切り出された検査領域から少なくとも色情報を抽出する、請求項１から４のいずれか一項に記載の眼科装置の点検方法。
【請求項６】
請求項１から５のいずれか一項に記載の眼科装置の点検方法に用いられ、
前記点検用被撮像体を備える、眼科装置の点検用治具。
【請求項７】
前記点検用被撮像体の少なくとも表面に、前記照明光学系からの照明光を反射する光学薄膜が形成される、請求項６に記載の眼科装置の点検用治具。
【請求項８】
前記光学薄膜は、前記照明光を鏡面反射する、請求項７に記載の眼科装置の点検用治具。
【請求項９】
前記光学薄膜は、複数の異なる厚み部分を有する、請求項７又は８に記載の眼科装置の点検用治具。
【請求項１０】
前記点検用被撮像体を保持する点検用被撮像体保持部を更に備え、
前記点検用被撮像体保持部は、前記対物鏡筒の先端に装着される、請求項６から９のいずれか一項に記載の眼科装置の点検用治具。
【請求項１１】
請求項６から請求項１０のいずれか一項に記載の眼科装置の点検用治具を備える、眼科装置。
【発明の詳細な説明】
【技術分野】
【０００１】
本発明は、眼科装置の点検方法、眼科装置の点検用治具、及び眼科装置に関する。
【背景技術】
【０００２】
スマートフォンやタブレット端末などの携帯型情報端末の普及により、所謂ドライアイを発症したドライアイ患者数が急増している。ドライアイは、角膜表面を覆う涙液層の減少に伴い、一部の角膜表面部分が涙液層に保護されずに外部に露出することに起因する眼科疾患である。ドライアイを発症することで、角膜上皮障害、結膜障害等の重度な疾患を併発する場合もあるため、ドライアイに対する適切な検査・治療が求められる。【０００３】
ドライアイ用検査装置の一つとして、被検眼に所定の検査光を照明し、涙液層での干渉縞を観察する涙液層観察装置が挙げられる（例えば、特許文献１）。この涙液層観察装置は、非接触・非侵襲で角膜上の涙液面の状態を観察できることから、被検者に過度な身体的負担を与えず、且つ検査作業を容易に行えるという利点を有する。【０００４】
ところで、涙液層観察装置のような、被検眼への照明光学系や照明された被検眼を撮像する撮像光学系を備えた眼科装置の場合、例えば、装置購入後の使用環境等によって、各光学系要素の表面や内部状態、あるいは各光学系要素間の位置・角度関係に変化が生じ得る。一般に眼科装置の各光学系要素は、非常に精密にセットアップされているため、前記のような変化が僅かでも生じた場合、得られる被検眼画像の状態（質）も大きく変わり得る。従って、このような眼科装置の場合、例えば前記した光学系要素に関して、ユーザー側でも実施可能な点検方法を提示することが望ましい。【０００５】
ここで、眼科装置の点検（校正）技術の一例が、特許文献２に開示されている。特許文献２に示される技術は、レーザー光の集光点の位置近傍に配置される反射板を備え、反射板は、レーザー光による反射板からの表面反射光または裏面反射光が受光手段に受光されることのないように配置され、レーザー光を反射板に照射したときの反射板からの散乱光を測定することにより校正が行なわれる。
【先行技術文献】
【特許文献】
【０００６】
【特許文献１】特開平１０−３３４８３号公報
【特許文献２】特開２００７−８２６４０号公報
【発明の概要】
【発明が解決しようとする課題】
【０００７】
しかしながら、特許文献２に開示の技術において、前記反射板内部から得られる散乱光強度の情報は、反射板の形状的特徴や色情報といった画像に視覚的に現れる情報を直接示すものではない。そのため、特許文献２に開示の技術は、前述の涙液層観察装置で得られる画像の点検には不向きである。【０００８】
また、特許文献２に開示の技術は、反射板内部からの散乱光のみを受光し、反射板表面や裏面からの反射光を受光しないよう、校正に用いる各器材の位置関係等を調整する必要がある。よって、校正を行うまでに相応の手間が掛かる。更に、前記反射板は、被検眼前房の疑似体として機能する部材であるところ、前房内のたんぱく質と同様の散乱特性を備える必要がある。従って、特許文献２に開示の技術の場合、このような特性を有する反射板を特別に準備する必要があり、それに伴い作製コストが増加する。【０００９】
これらの課題に鑑み、本発明は、涙液層観察装置のような被検眼を撮像する眼科装置の点検を行うにあたり各器材の調整に過度な作業負担を伴うことなく、且つ撮像された画像が被撮像体の状態を適確に反映するものか否かに係る撮影能力の良否判定を再現性良く行うことができる眼科装置の点検方法の提供を目的とする。また、前記眼科装置の点検方法を実施する際に用いられる点検用治具、及び前記点検用治具を備えた眼科装置の提供を目的とする。
【課題を解決するための手段】
【００１０】
前述した課題を解決するため、本発明に係る眼科装置の点検方法は、
眼科装置の照明光学系を用いて照明された点検用被撮像体からの反射光を、前記眼科装置の撮像光学系を用いて受光し、前記点検用被撮像体を撮像するステップと、
撮像された前記点検用被撮像体の画像から色情報を抽出するステップと、
抽出された前記色情報とレファレンス用情報とを比較して、前記色情報が、所定の基準条件を満たすか否かを判定するステップと、
を備えることを特徴とする。【００１１】
本発明の前記態様によれば、点検用被撮像体からの反射光を用いて点検を行うため、点検作業及びその準備作業に過度な負担を伴わない。また、点検時に撮像した点検用被撮像体の画像の外観的状態を端的に示す色情報に基づき点検を行うため、眼科装置における前記撮影能力の良否判定を再現性良く行うことができる。なお、本発明に係る眼科装置の点検方法は、涙液層観察装置のみならず、例えば眼底検査装置のような、被検査体への照明光学系や撮像光学系を備える他の眼科装置の点検方法としても利用できる。【００１２】
また、本発明に係る眼科装置の点検方法は、
前記基準条件に、抽出された前記色情報のうちの少なくとも色相値（Ｈｕｅ値）が、前記レファレンス用情報で規定される色相値の範囲内であるか否かの条件が含まれることが好ましい。【００１３】
本発明の前記態様によれば、点検用被撮像体画像の色情報のうち、より明確に色の違いを識別できる色相値に基づいて眼科装置における前記撮影能力の良否判定を行う。これにより、前記判定の精度をより高めることができる。【００１４】
更に、本発明に係る眼科装置の点検方法は、
撮像された前記点検用被撮像体の画像から明るさ情報を抽出し、抽出された明るさ情報とレファレンス用情報とを比較して、前記明るさ情報が、所定の基準条件を満たすか否かを判定することが好ましい。【００１５】
本発明の前記態様によれば、更に点検用被撮像体画像の明るさ情報を用いて点検を行うため、例えば、照明用光源等の問題で点検用被撮像体からの反射光量が所定許容範囲外となり、点検用被撮像体の状態が適確に撮像されていないような事態を有効に防ぐことができる。これにより、前記判定の精度をより高めることができる。【００１６】
更に、本発明に係る眼科装置の点検方法は、
検査時に被検眼が配される、前記眼科装置の対物鏡筒と対向する位置に前記点検用被撮像体を配置し、前記点検用被撮像体を撮像することが好ましい。【００１７】
本発明の前記態様によれば、点検用被撮像体の位置を検査時の被検眼の位置に合せることから、検査時の被検眼の状態に近づけて点検用被撮像体を撮像することができる。これにより、前記判定の精度をより高めることができる。【００１８】
更に、本発明に係る眼科装置の点検方法は、
撮像された前記画像から検査領域を切り出し、切り出された検査領域から少なくとも色情報を抽出することが好ましい。【００１９】
本発明の前記態様によれば、点検用被撮像体の画像から検査領域を切り出すことで、レファレンス用情報との比較を精度良く行うことができる。これにより、前記判定の精度をより高めることができる。【００２０】
また、本発明に係る眼科装置の点検用治具は、
前記眼科装置の点検方法に用いられ、
前記点検用被撮像体を備えることを特徴とする。【００２１】
本発明の前記態様によれば、点検用被撮像体からの反射光を用いて点検を行うため、点検作業及びその準備作業に過度な負担を伴わない。また、点検時に撮像した点検用被撮像体の反射特性を端的に示す色情報を点検用被撮像体の反射光から提供できるため、眼科装置における前記撮影能力の良否判定を再現性良く行うことができる。【００２２】
更に、本発明に係る眼科装置の点検用治具は、
前記点検用被撮像体の少なくとも表面に、前記照明光学系からの照明光を反射する光学薄膜が形成されることが好ましい。【００２３】
本発明の前記態様によれば、光学薄膜を少なくとも表面に備えるため、色情報を含む反射光がより明瞭に得られる。これにより、例えば、点検時に撮像した点検用被撮像体の画像と、点検用のレファレンス画像との色情報の違いをより明確に識別することができる。その結果、前記判定の精度をより高めることができる。【００２４】
更に、本発明に係る眼科装置の点検用治具は、
前記光学薄膜は、前記照明光を鏡面反射することが好ましい。【００２５】
本発明の前記態様によれば、光学薄膜から特定波長帯の反射光を選択的に得ることができるため、例えば、レファレンス用情報との比較を容易に行うことができる。【００２６】
更に、本発明に係る眼科装置の点検用治具は、
前記光学薄膜は、複数の異なる厚み部分を有することが好ましい。【００２７】
本発明の前記態様によれば、光学薄膜から、複数の特定波長帯を含む反射光が得られるため、レファレンス用情報との比較時に選択可能な色情報のバリエーションを増やすことができる。【００２８】
更に、本発明に係る眼科装置の点検用治具は、
前記点検用被撮像体を保持する点検用被撮像体保持部を更に備え、
前記点検用被撮像体保持部は、前記対物鏡筒の先端に装着されることが好ましい。【００２９】
本発明の前記態様によれば、点検用被撮像体の位置を検査時の被検眼の位置に合せることから、検査時の被検眼の状態に近づけて点検用被撮像体を撮像することができる。これにより、前記判定の精度をより高めることができる。【００３０】
また、本発明に係る眼科装置は、前記眼科装置の点検用治具を備えることを特徴とする。【００３１】
本発明の前記態様によれば、点検用被撮像体からの反射光を用いて点検を行うため、点検作業及びその準備作業に過度な負担を伴わない。また、点検時に撮像した点検用被撮像体の反射特性を端的に示す色情報を点検用被撮像体の反射光から提供できるため、眼科装置における前記撮影能力の良否判定を再現性良く行うことができる。
【発明の効果】
【００３２】
本発明によれば、涙液層観察装置のような被検眼を撮像する眼科装置の点検を行うにあたり各器材の調整に過度な作業負担を伴わず、且つ撮像された画像が被撮像体の反射特性を適確に反映する反射画像であるため、眼科装置の持つ撮影能力の良否判定を再現性良く行うことができる眼科装置の点検方法を提供できる。また、前記眼科装置の点検方法を実施する際に用いられる点検用治具、及び前記点検用治具を備えた眼科装置を提供できる。
【図面の簡単な説明】
【００３３】
【図１】本実施形態に係る眼科装置の概略図。
【図２】本実施形態に係る眼科装置の点検方法の手順を示すフローチャート。
【図３】本実施形態に係る点検用被撮像体の撮像画像から検査領域を切り出す手順の説明に用いる図。
【図４】本実施形態に係る点検用被撮像体の撮像画像から検査領域を切り出す手順の説明に用いる別の図。
【図５】本実施形態に係る点検用被撮像体の撮像画像から検査領域を切り出す手順の説明に用いる更に別の図。
【図６】本実施形態に係る点検用被撮像体の撮像画像から検査領域を切り出す手順を示すフローチャート。
【図７】本実施形態に係る眼科装置の点検用治具の分解斜視図。
【図８】対物鏡筒の先端に装着された本実施形態に係る眼科装置の点検用治具の垂直断面図。
【図９】本実施形態に係る点検用被撮像体の垂直断面図。
【発明を実施するための形態】
【００３４】
以下、図面を参照して、本発明の実施形態に係る眼科装置、眼科装置の点検方法、及び眼科装置の点検用治具を詳細に説明する。
【００３５】
＜眼科装置＞
初めに、図１を参照して、本実施形態に係る眼科装置１の構成概略を説明する。ここで、図１は、眼科装置１の概略図である。図１に示されるように、眼科装置１は、光源１１（本実施形態では白色光源）、ハーフミラー１２、対物レンズ１３、結像レンズ１４、撮像手段１５、解析装置１６、点検用治具２０等を備える。なお、本実施形態に係る眼科装置１は、涙液層観察装置である。ただし、これに限られるものではなく、例えば、眼底検査装置等の他の眼科装置であってもよい。
【００３６】
光源１１からの光は、ハーフミラー１２に向けて出射され、ハーフミラー１２へ至った光の一部が対物レンズ１３に向けて反射される。更に、対物レンズ１３を通過した光は、点検用治具２０に取り付けられる点検用被撮像体２１に至る。これにより点検用被撮像体２１が照明される。実際の眼科検査時においては、点検用被撮像体２１が配される位置に被検眼が配され、対物レンズ１３を通過した照明光が、被検眼を照明する。
【００３７】
更に、点検用治具２０の点検用被撮像体２１に照明光が照射されると、点検用被撮像体２１から対物レンズ１３へ向けて照明光が反射される。反射光は、対物レンズ１３及びハーフミラー１２を通過し、結像レンズ１４によって集光される。最終的に、集光された反射光は、撮像手段１５（例えば、ＣＣＤカメラ、ＣＭＯＳカメラ等）で受光され、点検用被撮像体２１の画像情報を形成する電気信号に変換される。これにより、点検用被撮像体２１が撮像される。
【００３８】
更に、撮像手段１５で撮像された点検用被撮像体２１の画像情報は、解析装置１６に送信される。ここで、解析装置１６は、データを演算および処理する処理手段、及びデータを記憶する記憶手段を備えるものであり、当該記憶手段には、例えば、後述する画像処理を実行するためのプログラムや所定のデータがそれぞれ記憶されており、処理手段は、当該プログラム等による所定の命令に従ってデータの処理を行う。特に限定されるものではないが、解析装置１６は、一般的なコンピュータであってよく、例えば、ＣＰＵ、ＲＡＭ、ハードディスク、入出力装置、通信手段等を備える。
【００３９】
なお、以下の説明において、光源１１から点検用被撮像体２１に至る光路内に配置された点検用被撮像体２１を照明するための光学要素の集合を照明光学系と言う。すなわち、図１に示される態様の場合、光源１１、ハーフミラー１２、対物レンズ１３が、照明光学系に含まれる。必要に応じて、各種レンズ、ミラー、フィルター等の他の光学要素が、照明光学系に含まれてもよい。
【００４０】
また、点検用被撮像体２１から撮像手段１５に至る光路内に配置された点検用被撮像体２１を撮像するための光学要素の集合を撮像光学系と言う。図１に示される態様の場合、対物レンズ１３、ハーフミラー１２、結像レンズ１４、撮像手段１５が、撮像光学系に含まれる。必要に応じて、各種レンズ、ミラー、フィルター等の他の光学要素が、撮像光学系に含まれてもよい。
【００４１】
＜眼科装置の点検方法＞
次に、図２を参照して、前記した眼科装置１の点検方法を説明する。図２は、本実施形態に係る眼科装置１の点検方法の手順を示すフローチャートである。まず、検査時に被検眼が配される位置（例えば、眼科装置１の対物鏡筒と対向する位置）に点検用被撮像体２１を配置する（Ｓ１）。
【００４２】
本実施形態における点検用被撮像体２１は、点検用治具２０の点検用被撮像体保持部２２内に収容された状態で保持される。例えば、点検用被撮像体保持部２２を対物鏡筒３０の先端３１（図８で示される）に装着することで、検査時に被検眼が配される位置に点検用被撮像体２１を配置する。なお、点検用被撮像体２１の位置は、これに限られるものではない。
【００４３】
次に、眼科装置１の照明光学系を用いて照明された点検用被撮像体２１からの反射光を、眼科装置１の撮像光学系を用いて受光し、点検用被撮像体２１を撮像する（Ｓ２）。より詳しくは、前述のように、光源１１からの照明光を用いて点検用被撮像体２１を照明し、照明された点検用被撮像体２１からの反射光を撮像手段１５で受光する。これにより、点検用被撮像体２１を撮像し、点検用被撮像体２１の画像を撮像手段１５に記録する。
【００４４】
次に、撮像手段１５で記録された画像を解析装置１６へ送信し、解析装置１６で実行可能な画像処理により点検用被撮像体２１の画像から少なくとも色情報を抽出する（Ｓ３）。より好ましくは、点検用被撮像体２１の画像から色相値を抽出する。
【００４５】
なお、点検用被撮像体２１の画像から色情報を抽出する前に、撮像画像から検査領域を予め切り出し、切り出された検査領域から色情報を抽出してもよい。切り出す検査領域の選択方法は、特に限定されるものではないが、例えば、解析装置１６の画像処理によって、点検用被撮像体２１の画像における各画素の輝度値及びＲＧＢ値を参照し、所定の閾値以上の輝度を有し且つ色むらの少ない画像領域（検査領域）を選択する、などの方法が挙げられる。なお、切り出された検査領域を以下「検査領域Ｓ」と言う。
【００４６】
検査領域Ｓの切り出し方法の一例を以下具体的に説明する（ただし、検査領域Ｓの切り出し方法は、下記に限られない。）。本実施形態における検査領域Ｓの切り出し方法は、以下のＳｔｅｐ１からＳｔｅｐ４を含む。
（１）Ｓｔｅｐ１：検査領域Ｓの長さを決定する。
（２）Ｓｔｅｐ２：検査領域Ｓの幅を決定する。
（３）Ｓｔｅｐ３：検査領域Ｓにおける撮像画像の切り出しを行う。
（４）Ｓｔｅｐ４：切り出した撮像画像のＨＳＶ値のうち色相値と明度を算出する。
【００４７】
図３から図５、並びに図６のフローチャートを参照して、上記Ｓｔｅｐ１からＳｔｅｐ４の各工程を詳述する。前述のように、Ｓｔｅｐ１は、検査領域Ｓの長さを決定する工程である。まず、図３（ａ）に示されるプロットエリア内のｙ軸方向の平均輝度値を求める（図６のＳ１１）。それをｘ軸座標にプロットした（図６のＳ１２）結果が、図３（ｂ）のグラフである。このグラフの横軸は、撮像画像のｘ軸座標である。また、このグラフの縦軸の値は、前記したｙ軸方向の平均輝度値に対応する。より詳しくは、グラフの縦軸の値は、共通するｘ軸座標を持つｙ軸に沿う画素群の輝度値を足し合わせ、それを平均した値である（例えば、プロットエリア内の画素Ｐ１１（ｘ＝ａ０，ｙ＝ｂ１）の輝度値、画素Ｐ１２（ｘ＝ａ０，ｙ＝ｂ２）の輝度値、画素Ｐ１３（ｘ＝ａ０，ｙ＝ｂ３）の輝度値、・・・、画素Ｐ１ｎ（ｘ＝ａ０，ｙ＝ｂｎ）の輝度値を足し合わせ、それを平均した値）。次に縦軸に対して閾値（５０とした）を設ける（図６のＳ１３）。閾値を超える輝度の範囲をΔｘとする（図６のＳ１４）。このΔｘを三等分して、中央の範囲を切り出したものをΔｘ２とする（図６のＳ１５）。このΔｘ２が、検査領域Ｓの長さに相当する（図６のＳ１６）。
【００４８】
次に、Ｓｔｅｐ２は、検査領域Ｓの幅を決定する工程である。まず図４（ａ）に示されるプロットエリア内のｘ軸方向の平均輝度値を求める（図６のＳ２１）。それをｙ軸座標にプロットした（図６のＳ２２）結果が、図４（ｂ）のグラフである。このグラフの縦軸は画像のｙ軸座標である。また、このグラフの横軸の値は、前記したｘ軸方向の平均輝度値に対応する。より詳しくは、グラフの横軸の値は、共通するｙ軸座標を持つｘ軸に沿う画素群の輝度値を足し合わせ、それを平均した値である（例えば、プロットエリア内の画素Ｐ２１（ｘ＝ａ１，ｙ＝ｂ０）の輝度値、画素Ｐ２２（ｘ＝ａ２，ｙ＝ｂ０）の輝度値、画素Ｐ２３（ｘ＝ａ３，ｙ＝ｂ０）の輝度値、・・・、画素Ｐ２ｎ（ｘ＝ａｎ，ｙ＝ｂ０）の輝度値を足し合わせ、それを平均した値）。次に輝度値が最大となる値を求める（図６のＳ２３）。図４（ｂ）ではｙ１が輝度の最大値に相当する。次に、プロットエリア内のｘ軸方向の各ＲＧＢの平均値を求める（図６のＳ２４）。それをｙ軸座標にプロットした（図６のＳ２５）結果が、図４（ｃ）のグラフである。図４（ｃ）のグラフの横軸は、ｘ軸方向に平均化したＲ輝度、Ｇ輝度、Ｂ輝度である。グラフの縦軸は、画像のｙ軸座標である。次にＲ輝度、Ｇ輝度、Ｂ輝度の各プロファイルに着目する。プロファイルより、ＲＧＢの各輝度値の関係が、Ｒ＞Ｇ＞ＢからＲ＞Ｂ＞Ｇに切り替わる変化点を求める（図６のＳ２６）。図４（ｃ）では、ｙ２が前記の変化点に相当する。次に、ｙ１とｙ２に挟まれる範囲の縦軸に相当する部分をΔｙとする（図６のＳ２７）。このΔｙを三等分して、中央の範囲を切り出したものをΔｙ２とする（図６のＳ２８）。図４（ｄ）に示されるように、このΔｙ２が、検査領域Ｓの幅に相当する（図６のＳ２９）。
【００４９】
次に、Ｓｔｅｐ３は、上記で定めた検査領域Ｓに相当する範囲を、撮像画像から切り出す工程である。図５に示すように、Ｓｔｅｐ１で選択したΔｘ２及びＳｔｅｐ２で選択したΔｙ２に一致する領域を、撮像画像から切り出す（図６のＳ３１）。切り出した画像は、検査領域Ｓにおける撮像画像となる。
【００５０】
次に、Ｓｔｅｐ４は、検査領域Ｓで切り出した撮像画像のＨＳＶ値のうち色相値と明度を算出する工程である。検査領域Ｓで切り出した撮像画像の全領域における、Ｒ輝度平均値、Ｇ輝度平均値、Ｂ輝度平均値を算出する（図６のＳ４１）。その値を用いてＨＳＶ値へと変換する（図６のＳ４２）。このＨＳＶ値より、色相値、明度を取得する（図６のＳ４３）。
【００５１】
なお、ＲＧＢ値からＨＳＶ値への変換は、例えば、特開２０１９−００９７５２号等で示される公知の変換式を用いて行うことができる。具体的には、解析装置１６に記憶される変換プログラムによって、入力された各画素の色情報が、ＲＧＢ値からＨＳＶ（色相、彩度、明度）値に変換される。また、色情報には、更に色差値が含まれていてもよい。ただし、ＲＧＢ値からの変換値は、ＨＳＶに限られず、ＨＳＢ、ＨＳＬ等の他の色モデルに属する値であってもよい。
【００５２】
再び図２を参照し、本実施形態に係る点検方法の続く手順を説明する。前述の図２に示されるＳ３の手順の後、点検用被撮像体２１の画像から抽出された色情報とレファレンス用情報とを比較して、抽出された色情報が、所定の基準条件を満たすか否かを判定する（Ｓ４）。本実施形態において、このＳ４に係る手順も解析装置１６で処理される。ここで、本実施形態におけるレファレンス用情報は、眼科装置１の出荷前の段階で、当該眼科装置１を用いて撮像された点検用被撮像体２１の画像（以下、「レファレンス画像」）の色情報に相当する。ただし、レファレンス用情報は、レファレンス画像に限られず、点検用被撮像体２１の画像から抽出された色情報等と比較可能な情報であればよい。
【００５３】
レファレンス画像の色情報と比較する場合、点検対象の前記検査領域Ｓの例えば色相値が、予め定められる許容範囲内であるか否かが判定される。ここで、許容範囲の設定例として、検査領域Ｓに対応するレファレンス画像内の比較画像領域Ｃの色相値を中央値とし、そこから所定数減少した値を下限とすると共に、所定数増加した値を上限とし、当該下限から上限の数値範囲を許容範囲として設定するなどが挙げられる。この場合、例えば、比較画像領域Ｃの色相値が１９°で±３０％を許容範囲とする場合（すなわち、許容範囲の下限が１３．３°であり、上限が２４．７°とする場合）、検査領域Ｓの色相値が１５°であれば、点検用被撮像体２１の画像から抽出された色情報が基準条件を満たすと判定される。その結果、眼科装置１を用いて撮像される画像は、被撮像体の状態を適確に反映していることを確認できる。これにより、眼科装置１は、良好な撮影能力を備えていることが示される。
【００５４】
本実施形態によれば、点検用被撮像体２１の画像の様子を端的に示す色情報（特に、色相値）に基づき、眼科装置１を用いて撮像される画像が、被撮像体の状態を適確に反映するものか否かを確認するため、眼科装置１における前記撮影能力の良否判定を再現性良く行うことができる。
【００５５】
また、本実施形態によれば、点検用治具２０を眼科装置１の対物鏡筒３０の先端３１（図８で示される）に装着するのみの簡易な作業で点検用被撮像体２１を所定の点検位置に配置し、点検用被撮像体２１を撮像することができる。そのため、ユーザーが点検に関する特殊技能を有さずとも、前記した各点検手順を簡便に実施することができる。
【００５６】
前記では、レファレンス用情報との比較情報として、点検用被撮像体２１の画像から抽出した色情報（色相値）を用いた態様を説明したが、色情報に加えて明るさ情報（明度）を用いてもよい。
【００５７】
色情報に加えて明るさ情報を用いることで、例えば、撮像手段１５で受光する反射光の光量が、撮像手段１５の受光量容量を超えて飽和した結果、点検用被撮像体２１の状態が適確に撮像されない事態を有効に防ぐことができる。また、例えば、点検用被撮像体２１からの反射光以外の外乱光成分が撮像手段１５に入射され、画像の明度が著しく高いために点検用被撮像体２１の状態が適確に撮像されない事態も有効に防げる。なお、光源１１の光量や撮像手段１５の受光量を調整できる所定の調光手段を別途設けてもよい。
【００５８】
＜点検用治具＞
次に、図７及び図８を参照して、本実施形態に係る点検用治具２０を説明する。ここで、図７は点検用治具２０の分解斜視図である。また、図８は、対物鏡筒３０の先端３１に装着された点検用治具２０の垂直断面図である。
【００５９】
図７に示されるように、点検用治具２０は、前記した点検用被撮像体２１、点検用被撮像体保持部２２を備える。更に、点検用治具２０は、点検用被撮像体２１からの反射光量を低減させるＮＤフィルター２３を備えることが好ましい。点検用被撮像体２１とＮＤフィルター２３は、点検用被撮像体保持部２２内に収容される。
【００６０】
本実施形態における点検用被撮像体保持部２２は、頂部開口の有底円筒体であり黒色を呈する。室内光等の外乱光が点検用被撮像体２１に入射してしまうと、点検用被撮像体２１からの反射光に由来する本来のＲＧＢ値が得られなくなってしまう。この場合、周辺環境の影響によって検査の再現性が損なわれるおそれがある。その点、上記点検用被撮像体保持部２２を備えることで、点検用被撮像体２１への外乱光の入射を防ぐことができる。これによって、周辺環境に左右されずいつも点検用被撮像体２１からの反射光に由来する本来のＲＧＢ値を得ることができるため、検査の再現性を向上させることができる。
【００６１】
また、図８に示されるように、点検用被撮像体保持部２２の内部に、点検用被撮像体２１を載置する載置面２２１が形成される。特に限定されるものではないが、点検用被撮像体２１は、例えば両面テープなどの接着手段を介して載置面２２１に保持される。
【００６２】
更に、点検用被撮像体保持部２２の内部に、ＮＤフィルター２３を支持するための支持段２２２が形成されている。特に限定されるものではないが、ＮＤフィルター２３の側端縁は、例えば両面テープなどの接着手段を介して支持段２２２に保持される。なお、点検用被撮像体２１からの反射光が、ＮＤフィルター２３に入射する際、入射光の一部が、点検用被撮像体２１に向けて再反射されることを防ぐため、ＮＤフィルター２３は、斜め姿勢で点検用被撮像体保持部２２に収容されることが好ましい。
【００６３】
このように、点検用被撮像体２１及びＮＤフィルター２３を保持する点検用被撮像体保持部２２の頂部開口に、眼科装置１の対物鏡筒先端３１が着脱可能に嵌め込まれ、点検用治具２０は、眼科装置１の対物鏡筒３０に装着される。
【００６４】
なお、点検用被撮像体保持部２２は、前記した有底の黒色円筒体でなくてもよい。ただし、点検用被撮像体保持部２２が、外乱光の進入を完全に遮断できない形態である場合、暗室環境で点検用被撮像体２１の撮像を行うなど、別途対処が必要である。
【００６５】
次に、図９を参照して、本実施形態に係る点検用被撮像体２１を説明する。図９は、点検用被撮像体２１の垂直断面図である。図９に示されるように、点検用被撮像体２１は、表面側に形成される光学薄膜２１１と、基板２１２を備える。
【００６６】
本実施形態における光学薄膜２１１は、特に限定されるものではないが、１００ｎｍから２００ｎｍ程度の厚みを有する蒸着膜である。この光学薄膜２１１に照明光が照明されると、例えば、光学薄膜２１１の表面と裏面で照明光が反射される。その結果、各々の反射光が干渉し、特定波長帯の反射光が光学薄膜２１１から出射される。光学薄膜２１１の厚みや、所望の屈折率を有する光学薄膜２１１の材料を適宜選択し、例えば、涙液層観察装置を用いて得られる被検眼の干渉縞の呈色と対応又は近似する色に、反射光の波長帯を調整することが好ましい。
【００６７】
光学薄膜２１１の材料は、特に限定されるものではない。一例として、二酸化チタン（ＴｉＯ２）、二酸化ジルコニウム（ＺｒＯ２）、二酸化ケイ素（ＳｉＯ２）などが挙げられる。これらの材料は、レンズコーティング、光学フィルター等で使用されているもので、化学的に安定で経時変化しにくい性質を有すると共に、安価で、再現良く所望の干渉色が呈色されるため好ましい。また、光学薄膜２１１の成膜手段も、特に限定されるものではなく、従来から一般に用いられる物理蒸着法に属する成膜手段や化学蒸着法に属する成膜手段等であってよい。
【００６８】
また、本実施形態における光学薄膜２１１は、例えば、図９の符号Ｔ１からＴ５で示される複数の異なる厚み部分を有することが好ましい。複数の異なる厚み部分を設けることで、各厚み部分から異なる色（波長帯）の反射光を得ることができる。これにより、レファレンス用情報との比較時に選択可能な色情報のバリエーションを増やすことができる。なお、図９では、図の左から右に厚みが増えて表層部分が階段形状となるよう、各厚み部分が配置されているが、配置態様はこれに限られない。
【００６９】
本実施形態に係る光学薄膜２１１は、前記のように、照明光を鏡面反射するものであるが、照明光の反射態様もこれに限られない。例えば、光学薄膜２１１は、各種塗料やインク等の光散乱体であってもよく、照射光を散乱反射する態様であってもよい。各種塗料やインク等の光散乱体を利用する場合も、前記と同様、化学的に安定で経時変化しにくい性質の材料を選ぶことが望ましい。なお、各種塗料やインク等は一般的に経時変化し易いものが多いが、このように経時変化し易い材料を用いる場合でも、点検用被撮像体２１を定期的に新品と交換することで、検査の再現性を維持することができる。
【００７０】
本実施形態における基板２１２は、光学薄膜の形成に適した鏡面物体とするガラス製であるが、これに限られない。なお、照明光が、基板２１２の裏面２１２Ｂで反射して、光学薄膜２１１（点検用被撮像体２１）の撮像を阻害する事態を防止するため、裏面２１２Ｂにすり加工や黒塗りが施されることが好ましい。
【００７１】
以上、本発明の実施形態を詳細に説明した。ただし、前述の説明は本発明の理解を容易にするためのものであり、本発明を限定する趣旨で記載されたものではない。本発明には、その趣旨を逸脱することなく、変更、改良され得るものを含み得る。また、本発明にはその等価物が含まれる。
【符号の説明】
【００７２】
１        眼科装置
１１      光源
１２      ハーフミラー
１３      対物レンズ
１４      結像レンズ
１５      撮像手段
１６      解析装置
２０      眼科装置の点検用治具
２１      点検用被撮像体
２１１    光学薄膜
２１２    基板
２２      点検用被撮像体保持部
２３      ＮＤフィルター
３０      対物鏡筒
３１      対物鏡筒の先端
【図１】
2020166684.tif 000003
【図２】
2020166684.tif 000004
【図３】
2020166684.tif 000005
【図４】
2020166684.tif 000006
【図５】
2020166684.tif 000007
【図６】
2020166684.tif 000008
【図７】
2020166684.tif 000009
【図８】
2020166684.tif 000010
【図９】
2020166684.tif 000011
【国際調査報告】
2020166684.tif 000012
2020166684.tif 000013
2020166684.tif 000014
2020166684.tif 000015